(57)【特許請求の範囲】
【請求項１】
液透過性の表面シート、液不透過性の裏面層及び該表面シート及び該裏面層の間に配置される吸収体を備えると共に、互いに対向する第１端部及び第２端部と、該第１端部及び該第２端部に直交し互いに対向する第１側部及び第２側部と、を有して矩形形状に構成され、ペットの胴回りに巻きつけられて装着されるペット用吸収性物品であって、
前記第１側部における前記表面シート側に配置され、該表面シートから起立する第１立体ギャザー部と、
前記第２側部における前記表面シート側に配置され、該表面シートから起立する第２立体ギャザー部と、
前記第１立体ギャザー部が前記第１端部及び前記第２端部において該ペット用吸収性物品の幅方向の外側に折り返された状態で弱接合されて形成される一対の弱接合部と、を更に備えるペット用吸収性物品。
【請求項２】
前記第２立体ギャザー部の内側部は、前記第１端部及び前記第２端部において前記表面シートに接合されている請求項１に記載のペット用吸収性物品。
【請求項３】
前記第１立体ギャザー部は、前記第１側部における前記表面シート側に配置されると共に外側縁が前記表面シート又は前記裏面層に接合され内側縁の少なくとも一部が自由端となった第１サイドシート、及び該第１サイドシートの内側縁側に伸長状態で取り付けられる弾性部材を含んで構成され、
前記第２立体ギャザー部は、前記第２側部における前記表面シート側に配置されると共に外側縁が前記表面シート又は前記裏面層に接合され内側縁の少なくとも一部が自由端となった第２サイドシート、及び該第２サイドシートの内側縁側に伸長状態で取り付けられる弾性部材を含んで構成され、
前記一対の弱接合部は、前記第１端部及び前記第２端部において前記第１サイドシートが幅方向の外側に折り返された状態で弱接合されて形成される請求項１又は２に記載のペット用吸収性物品。
【請求項４】
前記弱接合部は、折り返された前記第１サイドシートが圧着されて形成される請求項３に記載のペット用吸収性物品。
【請求項５】
前記第１サイドシートの密度は、前記表面シートの密度よりも大きい請求項３又は４に記載のペット用吸収性物品。
【請求項６】
液透過性の表面シート、液不透過性の裏面層及び該表面シート及び該裏面層の間に配置される吸収体を備え、互いに対向する第１端部及び第２端部と、該第１端部及び該第２端部に直交し互いに対向する第１側部及び第２側部と、を有する矩形形状に構成されると共に、
前記第１側部における前記表面シート側に配置されると共に外側縁が前記裏面層に接合され内側縁の少なくとも一部が自由端となった第１サイドシートと、
前記第２側部における前記表面シート側に配置されると共に外側縁が前記裏面層に接合され内側縁の少なくとも一部が自由端となった第２サイドシートと、
前記第１サイドシートが前記第１端部及び前記第２端部において幅方向の外側に折り返された状態で弱接合されて形成される一対の弱接合部と、を備えるペット用吸収性物品の製造方法であって、
帯状の表面シートと帯状の裏面層との間に長手方向に所定間隔をあけて複数の吸収体が配置されると共に、前記帯状の表面シートの一対の側部に帯状の第１サイドシート及び帯状の第２サイドシートが配置された吸収性物品の連続体を形成する連続体形成工程と、
前記帯状の第１サイドシート及び前記帯状の第２サイドシートが幅方向に折り重ねられるように、前記吸収性物品の連続体の一対の側部側を表面シート側に折り返す折り返し工程と、
前記折り返し工程を経た前記吸収性物品の連続体を、長手方向に所定間隔をあけて幅方向に切断する切断工程と、を備え、
前記一対の弱接合部は、前記切断工程により形成されるペット用吸収性物品の製造方法。
【請求項７】
前記連続体形成工程は、前記切断工程により切断される位置の近傍において、前記帯状の第２サイドシートの内側部と前記表面シートとを接合する工程を含む請求項６に記載のペット用吸収性物品の製造方法。
【請求項８】
前記切断工程により切断されて形成されたペット用吸収性物品を、前記吸収体が対向するように長手方向に二つ折りする折り畳み工程を更に備える請求項６又は７に記載のペット用吸収性物品の製造方法。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
【０００４】
そこで、吸収体と、この吸収体の一方の面に配置される液透過性の表面シートと、吸収体の他方の面に配置される液不透過性の裏面層と、を備えて矩形形状に構成されると共に、長手方向に沿う一対の側部に立体ギャザーを配置した、ペットの胴回り部に巻きつけて装着されるペット用吸収性物品が提案されている。
このような、矩形形状に構成されたペット用吸収性物品によれば、尿道口の位置にかかわらず、確実に尿道口を覆って装着させられる。また、ペットの身体に巻きつけられた状態で、ペットの尿道口の前側及び後側に位置する部分にそれぞれ立体ギャザー部が配置されるので、尿の漏れを防げる。
【０００５】
また、ペットの後足の付け根間からの尿の漏れを防ぐために、ペットの身体の前側に配置される立体ギャザー部の起立する部分の長さを長くし、ペットの身体の後側に配置される立体ギャザー部の起立する部分の長さを短く構成したペット用吸収性物品が提案されている（特許文献１参照）。
特許文献１で提案されたペット用吸収性物品を雄のペットに装着する場合には、ペットの身体の後側に配置される立体ギャザー部の起立した部分を、ペットの泌尿器である性器の根元部分に引っ掛けるようにして装着する。これにより、ペットの泌尿器の後側に立体ギャザー部を位置させて、尿の漏れを防いでいる。
【先行技術文献】
【特許文献】
【０００６】
【特許文献１】特開２００７−２０５３３号公報
【発明の概要】
【発明が解決しようとする課題】
【０００７】
しかしながら、特許文献１で提案されたペット用吸収性物品では、ペットの身体の後側に配置される立体ギャザー部の起立する部分の長さを短く構成しているので、ペット用吸収性物品をペットに装着する場合に、立体ギャザー部が内側に倒れやすい。そして、立体ギャザー部が内側に倒れてしまうと、ペットの泌尿器の後側を立体ギャザー部で覆うことができず、尿が漏れてしまう。また、短い長さで起立した立体ギャザー部をペットの性器の根元部分に引っ掛けた状態でペット用吸収性物品を装着するので、ペットの性器の根元部分に強い応力が加わり、ペットの身体に負担がかかってしまう。
【０００８】
従って、本発明は、ペットの身体に負担をかけることなく、立体ギャザー部によりペットの泌尿器の後側を好適に覆うことのできるペット用吸収性物品、及び該ペット用吸収性物品の製造方法を提供することを目的とする。
【課題を解決するための手段】
【０００９】
本発明は、液透過性の表面シート、液不透過性の裏面層及び該表面シート及び該裏面層の間に配置される吸収体を備えると共に、互いに対向する第１端部及び第２端部と、該第１端部及び該第２端部に直交し互いに対向する第１側部及び第２側部と、を有して矩形形状に構成され、ペットの胴回りに巻きつけられて装着されるペット用吸収性物品であって、前記第１側部における前記表面シート側に配置され、該表面シートから起立する第１立体ギャザー部と、前記第２側部における前記表面シート側に配置され、該表面シートから起立する第２立体ギャザー部と、前記第１立体ギャザー部が前記第１端部及び前記第２端部において該ペット用吸収性物品の幅方向の外側に折り返された状態で弱接合されて形成される一対の弱接合部と、を更に備えるペット用吸収性物品に関する。
【００１０】
また、前記第２立体ギャザー部の内側部は、前記第１端部及び前記第２端部において前記表面シートに接合されていることが好ましい。
【００１１】
また、前記第１立体ギャザー部は、前記第１側部における前記表面シート側に配置されると共に外側縁が前記表面シート又は前記裏面層に接合され内側縁の少なくとも一部が自由端となった第１サイドシート、及び該第１サイドシートの内側縁側に伸長状態で取り付けられる弾性部材を含んで構成され、前記第２立体ギャザー部は、前記第２側部における前記表面シート側に配置されると共に外側縁が前記表面シート又は前記裏面層に接合され内側縁の少なくとも一部が自由端となった第２サイドシート、及び該第２サイドシートの内側縁側に伸長状態で取り付けられる弾性部材を含んで構成され、前記一対の弱接合部は、前記第１端部及び前記第２端部において前記第１サイドシートが幅方向の外側に折り返された状態で弱接合されて形成されることが好ましい。
【００１２】
また、前記弱接合部は、折り返された前記第１サイドシートが圧着されて形成されることが好ましい。
【００１３】
また、前記第１サイドシートの密度は、前記表面シートの密度よりも大きいことが好ましい。
【００１４】
本発明は、液透過性の表面シート、液不透過性の裏面層及び該表面シート及び該裏面層の間に配置される吸収体を備え、互いに対向する第１端部及び第２端部と、該第１端部及び該第２端部に直交し互いに対向する第１側部及び第２側部と、を有する矩形形状に構成されると共に、前記第１側部における前記表面シート側に配置されると共に外側縁が前記裏面層に接合され内側縁の少なくとも一部が自由端となった第１サイドシートと、前記第２側部における前記表面シート側に配置されると共に外側縁が前記裏面層に接合され内側縁の少なくとも一部が自由端となった第２サイドシートと、前記第１サイドシートが前記第１端部及び前記第２端部において幅方向の外側に折り返された状態で弱接合されて形成される一対の弱接合部と、を備えるペット用吸収性物品の製造方法であって、帯状の表面シートと帯状の裏面層との間に長手方向に所定間隔をあけて複数の吸収体が配置されると共に、前記帯状の表面シートの一対の側部に帯状の第１サイドシート及び帯状の第２サイドシートが配置された吸収性物品の連続体を形成する連続体形成工程と、前記帯状の第１サイドシート及び前記帯状の第２サイドシートが幅方向に折り重ねられるように、前記吸収性物品の連続体の一対の側部側を表面シート側に折り返す折り返し工程と、前記折り返し工程を経た前記吸収性物品の連続体を、長手方向に所定間隔をあけて幅方向に切断する切断工程と、を備え、前記一対の弱接合部は、前記切断工程により形成されるペット用吸収性物品の製造方法に関する。
【００１５】
また、前記連続体形成工程は、前記切断工程により切断される位置の近傍において、前記帯状の第２サイドシートの内側部と前記表面シートとを接合する工程を含むことが好ましい。
【００１６】
また、前記切断工程により切断されて形成されたペット用吸収性物品を、前記吸収体が対向するように長手方向に二つ折りする折り畳み工程を更に備えることが好ましい。
【発明の効果】
【００１７】
本発明によれば、ペットの身体に負担をかけることなく、立体ギャザー部によりペットの泌尿器の後側を好適に覆うことのできるペット用吸収性物品、及び該ペット用吸収性物品の製造方法を提供できる。
【図面の簡単な説明】
【００１８】
【図１】本発明の第１実施形態に係るペット用吸収性物品を示す斜視図である。
【図２】第１実施形態のペット用吸収性物品を表面シート側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】図２のＤ−Ｄ線断面図である。
【図８】第１実施形態のペット用吸収性物品をペットに装着する過程を示す図であり、第１端部をペットの背中に位置させた状態を示す図である。
【図９】第１実施形態のペット用吸収性物品をペットに装着する過程を示す図であり、ペットの胴回りに巻いたペット用吸収性物品の第２端部を引っ張って、ペット用吸収性物品をペットの胴回りに密着させる様子を示す図である。
【図１０】ペット用吸収性物品をペットの胴回りに装着した状態を示す図である。
【図１１】ペット用吸収性物品をペットの胴回りに装着した状態をペットの左側から視た図である。
【図１２Ａ】第１実施形態のペット用吸収性物品の製造方法における連続体形成工程を示す平面図である。
【図１２Ｂ】図１２ＡのＥ−Ｅ線断面図である。
【図１３Ａ】第１実施形態のペット用吸収性物品の製造方法における折り返し構成を示す平面図である。
【図１３Ｂ】図１３ＡのＦ−Ｆ線断面図である。
【図１４Ａ】第１実施形態のペット用吸収性物品の製造方法における切断工程を示す平面図である。
【図１４Ｂ】図１４ＡのＧ−Ｇ線断面図である。
【図１５Ａ】切断工程において切断されて製造されたペット用吸収性物品の一対の側部を開いた状態を示す平面図である。
【図１５Ｂ】図１５ＡのＨ−Ｈ線断面図である。
【図１６】本発明の第２実施形態に係るペット用吸収性物品を表面シート側から視た平面図である。
【図１７】位置表示部の配置の一例を示す図である。
【図１８】吸収体の形状の一例を示す図である。
【発明を実施するための形態】
【００１９】
以下、本発明のペット用吸収性物品の好ましい各実施形態について、図面を参照しながら説明する。
まず、第１実施形態のペット用吸収性物品について、図１〜図７を参照しながら説明する。
第１実施形態のペット用吸収性物品１は、図１及び図２に示すように、互いに対向する一対の端部としての第１端部１１及び第２端部１２と、これら第１端部１１及び第２端部１２に直交し互いに対向する第１側部としての後側側部１７及び第２側部としての前側側部１８と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
尚、後側側部１７とは、ペット用吸収性物品１をペットに装着する場合に、ペットの身体の後側に配置される側の側部を示す。また、前側側部１８とは、ペット用吸収性物品１をペットに装着する場合に、ペットの身体の前側に配置される側部を示す。
【００２０】
ペット用吸収性物品１は、図１〜図７に示すように、液透過性の表面シート２と、液不透過性の裏面層３を構成する裏面シート３１及び防水シート３２と、吸収体４と、第１立体ギャザー部１４と、この第１立体ギャザー部１４に形成される一対の弱接合部１４１と、第２立体ギャザー部１５と、胴回りギャザー部１３と、フックテープ７と、位置表示部８と、を備える。
【００２１】
表面シート２は、矩形形状に構成される。この表面シート２は、主として、装着対象のペットの身体に当接する側の面を構成する。表面シート２としては、有孔又は無孔の不織布を用いることができる。第１実施形態では、表面シート２は、後述するフックテープ７と好適に係合させる観点から、不織布により構成されることが好ましい。より具体的には、表面シート２としては、液透過性を確保しつつ柔らかな感触を保持させる観点から、好ましくは、密度が０．０５ｇ／ｃｍ３〜０．１ｇ／ｃｍ３、より好ましくは、密度が０．０６ｇ／ｃｍ３〜０．０８ｇ／ｃｍ３の不織布を用いることができる。
【００２２】
裏面シート３１は、図４〜図６に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。
【００２３】
第１立体ギャザー部１４は、図１及び図５に示すように、後側側部１７における表面シート２側に設けられ、表面シート２から起立する。第１立体ギャザー部１４は、第１サイドシート５１と、第１弾性部材６１と、を含んで構成される。
第１サイドシート５１は、図２に示すように、細長い矩形形状に構成される。この第１サイドシート５１は、後側側部１７における表面シート２の身体側に配置される。
第１サイドシート５１の外側縁側は、裏面シート３１の側部に接合されている。第１サイドシート５１の内側縁は、図４〜図６に示すように、自由端となっており、ペット用吸収性物品１の長手方向ＬＤの全長に亘って表面シート２とは接合されていない。
【００２４】
第１弾性部材６１は、図１及び図２に示すように、第１サイドシート５１の内側縁近傍に配置される。より具体的には、第１弾性部材６１は、図５に示すように、内側縁側で折り返された第１サイドシート５１の間に挟まれると共に、ホットメルト接着剤（図示せず）により伸長状態で第１サイドシート５１に固定される。第１弾性部材６１は、図２に示すように、伸長状態において、吸収体４の長手方向の長さよりも長い長さで第１サイドシート５１に配置される。また、第１弾性部材６１は、第１端部１１の近傍及び第２端部１２の近傍には、配置されていない。
【００２５】
一対の弱接合部１４１は、第１端部１１及び第２端部１２において、第１立体ギャザー部１４がペット用吸収性物品１の幅方向ＷＤの外側に折り返された状態で弱接合されて形成される。より具体的には、第１サイドシート５１の内側縁側は、図４及び図６に示すように、第１端部１１及び第２端部１２において、ペット用吸収性物品１の幅方向ＷＤの外側に折り返されている。そして、折り返されて重ね合わせられた２層の第１サイドシート５１が、第１端部１１及び第２端部１２において圧着されて弱接合される。これにより、一対の弱接合部１４１が形成されている。
尚、弱接合とは、接合部分に加えられる力が弱い場合（例えば、折り畳まれたペット用吸収性物品１を展開する程度の力が、間接的に接合部分に伝わった場合）には、接合状態は維持されるが、接合部分に所定以上の力が加えられた場合（例えば、接合部分が装着対象のペットに当接した状態で、このペットの身体の動きにより接合部分に対して接合を解除する方向の力が加えられた場合）には、接合状態が解除される程度の強さでの接合を表す。
【００２６】
第２立体ギャザー部１５は、図１及び図５に示すように、前側側部１８における表面シート２側に配置され、表面シート２から起立する。第２立体ギャザー部１５は、第２サイドシート５２と、第１弾性部材６１と、を含んで構成される。
第２サイドシート５２は、図２に示すように、細長い矩形形状に構成される。この第２サイドシート５２は、前側側部１８における表面シート２の身体側に配置される。
第２サイドシート５２の外側縁側は、裏面シート３１の側部に接合されている。第２サイドシート５２の内側縁は、図４及び図６に示すように、第１端部１１及び第２端部１２において、ホットメルト接着剤Ｈによって表面シート２に接合されている。そして、第２サイドシート５２の内側縁は、図５に示すように、第２サイドシート５２における長手方向ＬＤの一端部及び他端部を除く部分において、自由端となっている。
【００２７】
第１弾性部材６１は、図１及び図２に示すように、第２サイドシート５２の内側縁近傍に配置される。より具体的には、第１弾性部材６１は、図５に示すように、内側縁側で折り返された第２サイドシート５２の間に挟まれると共に、ホットメルト接着剤（図示せず）により伸長状態で第２サイドシート５２に固定される。第１弾性部材６１は、図２に示すように、伸長状態において、吸収体４の長手方向の長さよりも長い長さで第２サイドシート５２に配置される。また、第１弾性部材６１は、第１端部１１の近傍及び第２端部１２の近傍には、配置されていない。
【００２８】
第１立体ギャザー部１４を構成する第１サイドシート５１、及び第２立体ギャザー部１５を構成する第２サイドシート５２としては、撥水性又は疎水性を有するものが好ましく用いられる。具体的には、第１立体ギャザー部１４及び第２立体ギャザー部１５としては、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。
第１実施形態では、第１サイドシート５１は、後述する製造工程において、圧着による弱接合部１４１の形成を好適に行う観点から、表面シート２を構成する不織布よりも密度の大きい素材により構成されることが好ましい。具体的には、第１サイドシート５１の密度は、好ましくは０．０９ｇ／ｃｍ３〜０．１５ｇ／ｃｍ３、より好ましくは０．１ｇ／ｃｍ３〜０．１３ｇ／ｃｍ３である。
【００２９】
第１弾性部材６１としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００３０】
胴回りギャザー部１３は、図１に示すように、後側側部１７及び前側側部１８にそれぞれ設けられる。胴回りギャザー部１３は、後側側部１７及び前側側部１８に配置された第２弾性部材６２を含んで構成される。第２弾性部材６２は、図５に示すように、第１サイドシート５１と裏面シート３１との間、及び第２サイドシート５２と裏面シート３１との間にそれぞれ配置される。また、第２弾性部材６２は、伸長状態で、ホットメルト接着剤により、第１サイドシート５１及び裏面シート３１、並びに第２サイドシート５２及び裏面シート３１に固定される。
第２弾性部材６２は、伸長状態において、吸収体４の長手方向の長さよりも長い長さで前側側部１８及び後側側部１７それぞれに配置される。
第２弾性部材６２としては、第１弾性部材６１と同様の素材を用いることができる。
【００３１】
吸収体４は、図５及び図７に示すように、重ね合わせられた表面シート２及び裏面層３の間に介在配置される。吸収体４は、図２及び図３に示すように、矩形帯状の吸収体本体４１と、この吸収体本体４１から延出する第１延出部４２と、を備える。
【００３２】
吸収体本体４１は、ペット用吸収性物品１の第１端部１１側から第２端部１２側まで延びて配置される。
吸収体本体４１の長さは、図７に示すように、表面シート２及び裏面シート３１の長さよりも短く構成されている。そして、第１端部１１の近傍及び第２端部１２の近傍には、吸収体本体４１は、配置されない。
【００３３】
吸収体本体４１の幅は、表面シート２及び裏面シートの幅よりも狭く構成される。吸収体本体４１は、図２に示すように、ペット用吸収性物品１の幅方向ＷＤにおいて、第２サイドシート５２が配置されている側（前側側部１８側）に偏って配置される。
【００３４】
第１延出部４２は、吸収体本体４１の長手方向の中央部から幅方向の外方に延出する。より具体的には、第１延出部４２は、吸収体本体４１の長手方向に沿う一対の側部のうちの第１サイドシート５１が配置される側に配置される。第１延出部４２のペット用吸収性物品１の長手方向ＬＤに沿う方向の長さＬ１は、ペットの泌尿器の下面を好適に覆う観点から、好ましくは１５０ｍｍ〜６００ｍｍ、又はペット用吸収性物品１の長さの３０％〜９０％の長さである。第１延出部４２のペット用吸収性物品１の幅方向ＷＤに沿う方向の長さＷ１は、ペットの泌尿器の根元部を好適に覆う観点から、好ましくは１０ｍｍ〜１００ｍｍ、又は吸収体４の幅の１０％〜５０％の長さである。
【００３５】
尚、図１８に示すように、第１延出部４２の形状が、吸収体本体４１からなだらかに突出する形状の場合には、第１延出部４２のペット用吸収性物品１の長手方向ＬＤに沿う方向の長さＬ１は、以下のように算出する。
吸収体４の幅が最も狭い部分の幅をＷｎとし、最も広い部分の幅をＷｗとし、幅Ｗｎと幅Ｗｗの平均（Ｗｎ＋Ｗｗ／２）をみなし延出部幅Ｗａｖとする。そして、吸収体４におけるみなし延出部幅Ｗａｖ間の長手方向ＬＤに沿う方向の長さを、第１延出部４２のペット用吸収性物品１の長手方向ＬＤに沿う方向の長さＬ１とする。
【００３６】
吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００３７】
フックテープ７は、図１〜図３に示すように、ペット用吸収性物品１の第１端部１１の外面に配置される。フックテープ７は、矩形形状に構成され、フックテープ７の長手方向がペット用吸収性物品１の幅方向ＷＤに沿うように配置される。また、フックテープ７は、第１端部１１の側縁から所定の距離内側に離間した位置に取り付けられる。
フックテープ７は、図６に示すように、帯状の基部７１と、この基部７１の一方の面に設けられる複数のフック部７２と、を備える。フックテープ７は、複数のフック部７２が形成された面が外面となるように、裏面シート３１に取り付けられる。
【００３８】
位置表示部８は、ペット用吸収性物品１がペットに装着される場合に、指標となる位置を表示する。第１実施形態では、位置表示部８は、図３に示すように、裏面層３の外面側に配置される。位置表示部８は、ペット用吸収性物品１の長手方向ＬＤの中央部における幅方向ＷＤの第２サイドシート５２が配置された側（前側側部１８側）に配置される。即ち、第１実施形態では、位置表示部８は、ペット用吸収性物品１をペットに装着する場合に、ペットの身体の前側に配置されるべき位置を表示する。
第１実施形態では、位置表示部８は、図３に示すように、花柄のシール部材により構成され、防水シート３２と裏面シート３１との間に配置される（図５参照）。位置表示部８は、裏面シート３１を介して、裏面層３の外面側から視認できる。
【００３９】
以上の位置表示部８によれば、ペット用吸収性物品１を裏面層３側から視た場合においても、帯状のペット用吸収性物品１におけるどちら側の側部をペットの身体の前側に位置させればよいかを、容易に把握できる。
尚、位置表示部８は、この位置表示部８が配置された位置に重なる位置に配置された吸収体４が水分を吸収した場合に色が変化する素材により構成してもよい。これにより、位置表示部８の色の変化を確認することで、ペット用吸収性物品１の交換時期を適切に把握できる。
また、位置表示部８は、裏面層３の外面に印刷を施して構成してもよい。
【００４０】
以上のペット用吸収性物品１は、第１弾性部材６１がペット用吸収性物品１の長手方向ＬＤに沿って伸長状態で第１サイドシート５１及び第２サイドシート５２に固定されている。また、第２弾性部材６２がペット用吸収性物品１の長手方向ＬＤに沿って伸長状態で第１サイドシート５１と裏面シート３１との間及び第２サイドシート５２と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、後側側部１７及び前側側部１８に、長手方向ＬＤに伸縮可能な一対の胴回りギャザー部１３が形成される（図１参照）。
【００４１】
また、第１サイドシート５１及び第２サイドシート５２における自由端側において、主として、第１弾性部材６１が配置された部分が立ち上がる。これにより、第１立体ギャザー部１４及び第２立体ギャザー部１５が形成される（図５参照）。
【００４２】
ここで、第１立体ギャザー部１４を構成する第１サイドシート５１の内側縁は、ペット用吸収性物品１の長手方向ＬＤの全長に亘って表面シート２とは接合されていない。また、この第１サイドシート５１の内側縁側は、図４及び図６に示すように、第１端部１１及び第２端部１２において、弱接合部１４１によりペット用吸収性物品１の幅方向ＷＤの外側に折り返されて弱接合されている。これにより、第１立体ギャザー部１４は、ペット用吸収性物品１を展開した状態では、ペット用吸収性物品１の幅方向ＷＤの外側に倒れやすく構成される（図２参照）。
【００４３】
一方、第２立体ギャザー部１５を構成する第２サイドシート５２の内側縁側は、第１端部１１及び第２端部１２において表面シート２に接合されており、これら第１端部１１及び第２端部１２を除く部分が自由端となって構成されている。これにより、第２立体ギャザー部１５は、ペット用吸収性物品１を展開した状態で、ペット用吸収性物品１の幅方向ＷＤの内側に倒れやすく構成される。
【００４４】
次に、第１実施形態のペット用吸収性物品１をペットに取り付ける手順について、図８〜図１１を参照しながら説明する。図８〜図１１は、第１実施形態のペット用吸収性物品１をペットに装着する過程を示す図であり、図８は、第１端部１１をペットの背中に位置させた状態を示す図である。図９は、ペットの胴回りに巻いたペット用吸収性物品１の第２端部１２を引っ張って、ペット用吸収性物品１をペットの胴回りに密着させる様子を示す図であり、図１０は、ペット用吸収性物品１をペットの胴回りに装着した状態を示す図であり、図１１は、ペット用吸収性物品１をペットの胴回りに装着した状態をペットの左側面から視た図である。
【００４５】
まず、図８に示すように、ペット用吸収性物品１の第１端部１１をペットの背中に位置させて、この第１端部１１の近傍を装着者の片方の手で押さえる。このとき、裏面層３側に配置されている位置表示部８を確認しながら、この位置表示部８が配置された側をペットの身体の前側に位置させる。ここで、第１サイドシート５１の第１端部１１及び第２端部１２には、弱接合部１４１が形成されている。これにより、第１立体ギャザー部１４は、ペット用吸収性物品１の幅方向ＷＤの外側に倒れた状態でペットの身体に当接される。
【００４６】
次いで、第１端部１１を一方の手で押さえたまま、ペット用吸収性物品１の第２端部１２を他方の手で持って、ペット用吸収性物品１をペットの腹側を覆うように巻きつける。
【００４７】
次いで、図９に示すように、第２端部１２を上方に引っ張って、一対の胴回りギャザー部１３をペットの胴回りの密着させた後、図１０に示すように、第２端部１２の内面を第１端部の外面に配置されたフックテープ７に係合させる。これにより、ペット用吸収性物品１は、第１立体ギャザー部１４が外側に倒れた状態で、ペットの胴回りに巻きつけられる。
【００４８】
以上の手順において、ペット用吸収性物品１をペットに装着する場合には、ペットの泌尿器の全体を吸収体４で覆うことができるように、ペット用吸収性物品１をペットの胴体部における後足側に近接させて巻きつける。ここで、第１実施形態では、吸収体本体４１を、ペット用吸収性物品１の幅方向ＷＤにおける第２サイドシート５２が配置される側（ペットの身体の前側）に偏らせて配置している。また、第１延出部４２をペット用吸収性物品１の幅方向ＷＤの外方（ペットの身体の後方）に延出させている。これにより、図１１に示すように、第１延出部４２を、ペットの後足の付け根間に位置する泌尿器の根元部分の下方を覆うように配置できる。また、ペット用吸収性物品１におけるペットの後足に近接して配置される部分においては、吸収体本体４１は配置されない。よって、ペット用吸収性物品１をペットの胴体に巻きつける場合に、吸収体４（吸収体本体４１）は、ペットの後足に干渉しないので、ペット用吸収性物品１を、ペットの胴体における後足側に近接した位置に好適に巻きつけられる。
【００４９】
次に、第１実施形態のペット用吸収性物品１の製造方法について、図１２〜図１５を参照しながら説明する。図１２Ａ〜図１５Ａは、ペット用吸収性物品１の製造方法におけるそれぞれの工程の平面図を示し、図１２Ｂ〜図１５Ｂは、それぞれの工程における第１端部１１及び第２端部１２相当部分の幅方向の断面図を示す。
【００５０】
本発明のペット用吸収性物品１の製造方法は、連続体形成工程Ｓ１と、折り返し工程Ｓ２と、切断工程Ｓ３と、折り畳み工程Ｓ４と、を備える。
【００５１】
連続体形成工程Ｓ１では、ペット用吸収性物品１の連続体１００が形成される。より具体的には、連続体形成工程Ｓ１では、図１２Ａ及び図１２Ｂに示すように、帯状の表面シート２００と帯状の裏面層３００との間に、長手方向に所定間隔をあけて複数の吸収体４が配置される。また、帯状の表面シート２００の一対の側部に帯状の第１サイドシート５１０及び帯状の第２サイドシート５２０が配置される。また、この連続体形成工程Ｓ１では、図１２Ａ及び図１２Ｂに示すように、帯状の第１サイドシート５１０の外側部及び帯状の第２サイドシート５２０の外側部は、帯状の裏面層３００の外側部及び帯状の表面シート２００の外側部に接合される。更に、連続体形成工程Ｓ１では、帯状の第２サイドシート５２０の内側部と帯状の表面シート２００とが、後述の切断工程Ｓ３において切断される位置の近傍において、ホットメルト接着剤Ｈにより接合される。
【００５２】
折り返し工程Ｓ２では、図１３Ａ及び図１３Ｂに示すように、帯状の第１サイドシート５１０及び帯状の第２サイドシート５２０が幅方向に折り重ねられるように、ペット用吸収性物品の連続体１００の一対の側部側が帯状の表面シート２００側に折り返される。より具体的には、ペット用吸収性物品の連続体１００における帯状の第１サイドシート５１０が配置された側の側部である第１側部１７側は、第１延出部４２の延出端の位置と略一致する位置を折線として、帯状の表面シート２００側に折り返される。また、ペット用吸収性物品の連続体１００における帯状の第２サイドシート５２０が配置された側の側部である第２側部１８側は、吸収体本体４１の長手方向に沿う側縁と略一致する位置を折線として、帯状の表面シート２００側に折り返される。
【００５３】
切断工程Ｓ３では、図１４Ａ及び図１４Ｂに示すように、折り返し工程Ｓ２において折り返されたペット用吸収性物品の連続体１００が、長手方向に所定間隔をあけて幅方向に切断される。より具体的には、切断工程Ｓ３では、連続体形成工程Ｓ１において、帯状の第２サイドシート５２０の内側部と帯状の表面シート２００とが接合された部分において、ペット用吸収性物品の連続体１００がカッターにより切断される。この切断工程Ｓ３においては、折り返し工程Ｓ２において折り返されてペット用吸収性物品の厚さ方向に折り重ねられた２層の帯状の第１サイドシート５１０が、カッターにより切断されるときに厚さ方向に押圧される。これにより、折り重ねられた２層の帯状の第１サイドシート５１０は、カッターにより切断される部分において、圧着されて弱接合され、弱接合部１４１が形成される。
【００５４】
折り畳み工程Ｓ４では、切断工程Ｓ３において切断されて形成されたペット用吸収性物品が、表面シート２が対向するように長手方向に二つ折りされる。
折り畳み工程Ｓ４で二つ折りされたペット用吸収性物品１は、複数枚が積層された状態で包装袋に収容される（図示せず）。
【００５５】
以上の製造方法で製造され、折り畳まれた状態で包装されたペット用吸収性物品１を使用する場合には、まず、二つ折りされたペット用吸収性物品１を長手方向に開く（図１４Ａ及び図１４Ｂ参照）。次いで、図１５Ａ及び図１５Ｂに示すように、幅方向に折り返された後側側部１７及び前側側部１８を外側に開く。すると、第１端部１１及び第２端部１２において、第１サイドシート５１には、弱接合部１４１が形成されているので、後側側部１７を外側に開く動作に応じて、第１サイドシート５１の内側縁側も外側に開く。これにより、ペット用吸収性物品１を展開した状態では、第１サイドシート５１を含んで構成される第１立体ギャザー部１４は、外側に倒れた状態となる。
【００５６】
尚、上述の切断工程Ｓ３においては、折り重ねられた２層の帯状の第２サイドシート５２０についても、カッターにより切断される部分において、圧着されて弱接合される。しかしながら、帯状の第２サイドシート５２０において弱接合される部分（第１端部１１及び第２端部１２）は、帯状の第２サイドシート５２０と帯状の表面シート２００とがホットメルト接着剤Ｈにより接合されている。そのため、ペット用吸収性物品１を使用する場合に、前側側部１８を外側に開く動作によって、弱接合は解除される（図１５Ａ及び図１５Ｂ参照）。つまり、第２サイドシート５２には、弱接合部１４１は形成されない。
【００５７】
以上説明した第１実施形態のペット用吸収性物品１及びペット用吸収性物品１の製造方法によれば、以下のような作用効果を奏する。
【００５８】
（１）ペット用吸収性物品１を、第１立体ギャザー部１４を第１端部１１及び第２端部１２において幅方向ＷＤの外側に折り返した状態で弱接合して形成した一対の弱接合部１４１を含んで構成した。これにより、第１立体ギャザー部１４をペット用吸収性物品１の幅方向ＷＤの外側に倒れやすくできる。よって、ペット用吸収性物品１をペットの胴体に巻きつける場合に、第１立体ギャザー部１４（第１サイドシート５１）を外側に倒した状態で、ペットの泌尿器の根元部分の下方及び後方を好適に覆うように配置できる。また、ペットの泌尿器の根元部分に強い応力をかけることなく、ペット用吸収性物品１を装着できるので、ペットの身体に負担をかけない。
また、弱接合部１４１を、接合部分に所定以上の力が加えられた場合（例えば、接合部分が装着対象のペットに当接した状態で、このペットの身体の動きにより接合部分に対して接合を解除する方向の力が加えられた場合）に、接合状態が解除される程度の強さで接合して構成した。これにより、ペット用吸収性物品１をペットに装着した後に、ペットの身体の動きに応じて、弱接合部１４１に対して接合を解除する方向の力が加えられた場合には、弱接合部１４１の接合を容易に解除させられる。よって、ペット用吸収性物品１をペットに装着した後には、弱接合部１４１の接合を容易に解除させられるので、第１立体ギャザー部１４のペットの身体への追従性を向上させられる。
【００５９】
（２）第２立体ギャザー部１５を構成する第２サイドシート５２の内側縁側を、ペット用吸収性物品１の第１端部１１及び第２端部１２において、表面シート２に接合した。これにより、第２立体ギャザー部１５の起立端である第２サイドシート５２の内側縁側を、第１端部１１及び第２端部１２において、ペット用吸収性物品１の幅方向ＷＤの内側に向けた状態で固定できる。よって、第２立体ギャザー部１５をペット用吸収性物品１の幅方向の内側に倒れやすくできるので、ペットの身体の前側からの尿の漏れを効果的に防止できる。
また、雄のペットに、ペット用吸収性物品１を装着した場合には、身体の前側に延びる性器の先端側を、内側に倒れやすい第２立体ギャザー部１５により好適に覆うことができる。よって、ペットの身体の前側からの尿の漏れをより効果的に防止できる。また、性器の先端側が第２立体ギャザー部１５に引っ掛ることで、ペット用吸収性物品１が身体の後側にずれるのを防げる。
【００６０】
（３）第１立体ギャザー部１４を、第１サイドシート５１と第１弾性部材６１とを含んで構成し、第２立体ギャザー部１５を、第２サイドシート５２と第１弾性部材６１とを含んで構成した。これにより、第１立体ギャザー部１４及び第２立体ギャザー部１５を表面シート２から好適に起立させられる。
【００６１】
（４）吸収体本体４１を、ペット用吸収性物品１の幅方向ＷＤにおける第２サイドシート５２が配置される側（ペットの身体の前側）に偏らせて配置し、第１延出部４２をペット用吸収性物品１の幅方向ＷＤの外方に延出させた。これにより、第１延出部４２を、ペットの後足の付け根間に位置する泌尿器の根元部分の下方を覆うように配置できる。また、ペット用吸収性物品１におけるペットの後足に近接して配置される部分においては、吸収体本体４１は配置されない。よって、ペット用吸収性物品１をペットの胴体に巻きつける場合に、吸収体４（吸収体本体４１）は、ペットの後足に干渉しないので、ペット用吸収性物品１を、ペットの胴体における後足側に近接した位置に好適に巻きつけられる。即ち、ペットの胴回りに巻きつけて装着されるペット用吸収性物品において、吸収体４によりペットの泌尿器全体を好適に覆うことができる。
【００６２】
（５）吸収体本体４１を、ペット用吸収性物品１の長手方向ＬＤにおける一端側から他端側に亘って延びるように配置した。これにより、ペット用吸収性物品１をペットに装着した場合に、第１延出部４２が配置される後足の付け根間以外の部分において、吸収体本体４１を、ペットの胴体の側部にも配置できる。よって、ペットが身体を横たえた状態において排尿した場合であっても、尿を胴体の側部に配置された吸収体本体４１により好適に吸収させられる。
【００６３】
（６）ペットの身体の前側に配置されるべき位置を表示する位置表示部８を、裏面層３の外面側から視認できる位置に設けた。これにより、ペット用吸収性物品１を裏面層３側から視た場合においても、帯状のペット用吸収性物品１におけるどちら側の側部をペットの身体の前側に位置させればよいかを、容易に把握できる。
【００６４】
（７）ペット用吸収性物品１の製造方法を、帯状の第１サイドシート５１０及び帯状の第２サイドシート５２０が幅方向に折り重ねられるように、ペット用吸収性物品の連続体１００の一対の側部側を帯状の表面シート２００側に折り返す折り返し工程Ｓ２と、この折り返し工程Ｓ２を経たペット用吸収性物品の連続体１００を、長手方向に所定間隔をあけて幅方向に切断する切断工程Ｓ３と、を含んで構成し、この切断工程Ｓ３によって一対の弱接合部１４１を形成させた。よって、別途新たな工程を設けることなく、弱接合部１４１を形成できるので、ペット用吸収性物品１の製造工程を複雑化させることなく、弱接合部１４１を備えるペット用吸収性物品１を製造できる。
【００６５】
（８）第１サイドシート５１を、表面シート２よりも密度の大きな素材により構成した。これにより、同じ強さで圧着された場合における重ね合わせられた２層の第１サイドシート５１間の接合力を、積層された表面シート２と第１サイドシート５１との間の接合力よりも大きくできる。よって、切断工程Ｓ３において、一対の弱接合部１４１をより好適に形成させられる。
【００６６】
次に、本発明の第２実施形態のペット用吸収性物品１について、図１６を参照しながら説明する。図１６は、第２実施形態のペット用吸収性物品１を示す平面図である。
第２実施形態のペット用吸収性物品１は、主として、吸収体４の構成において、第１実施形態と異なる。
第２実施形態の吸収体４は、図１６に示すように、吸収体本体４１の一対の側部のうちの第２サイドシート５２が配置された側の側部から幅方向の外方に延出する第２延出部４３を更に備える。第２実施形態では、吸収体本体４１の幅は、第１実施形態よりも狭く構成される。
【００６７】
第２延出部４３は、吸収体本体４１の長手方向の中央部に配置される。第２延出部４３は、第１延出部４２と同形同大に構成される。
【００６８】
第２実施形態のペット用吸収性物品１によれば、上述した（１）〜（８）の作用効果を奏する他、以下のような作用効果を奏する。
【００６９】
（９）吸収体４を、吸収体本体４１の一対の側部のうちの第２サイドシート５２が配置された側の側部から幅方向の外方に延出する第２延出部４３を含んで構成した。これにより、吸収体４の形状を、ペット用吸収性物品１の長手方向ＬＤに延びる中心線に対して線対称に構成できる。よって、ペット用吸収性物品１をペットに装着する場合に、ペット用吸収性物品１を装着する向きにかかわらず、ペットの泌尿器の全体を、吸収体４により好適に覆うことができる。
また、吸収体４の形状をペット用吸収性物品１の長手方向ＬＤに延びる中心線に対して線対称に構成できるので、ペット用吸収性物品１の製造工程において、搬送ラインの蛇行を少なくできる。よって、ペット用吸収性物品１を効率的に製造できる。
【００７０】
以上、本発明の好ましい各実施形態について説明したが、本発明は、上述した各実施形態に制限されるものではなく、適宜変更が可能である。
例えば、第１実施形態では、位置表示部８を、裏面層３側に配置したが、これに限らない。即ち、位置表示部を、表面シート側に配置してもよい。
【００７１】
また、第１実施形態では、位置表示部８を、ペット用吸収性物品１の長手方向ＬＤの中央部における幅方向ＷＤの第２サイドシート５２が配置された側に配置したが、これに限らない。即ち、図１７に示すように、位置表示部８を、長手方向ＬＤに所定間隔をあけて複数配置してもよい。
【００７２】
また、第１実施形態〜第３実施形態では、裏面層３を、裏面シート３１及び防水シート３２の２層により構成したが、これに限らない。即ち、裏面層を、裏面シート又は防水シートのみにより構成してもよい。
【００７３】
また、第１実施形態〜第３実施形態では、第２立体ギャザー部１５の内側部を、第１端部１１及び第２端部１２において表面シート２に接合して構成したが、これに限らない。即ち、第２立体ギャザー部を、第１立体ギャザー部と同様に、第１端部及び第２端部においてペット用吸収性物品の幅方向の外側に折り返した状態で弱接合して形成した一対の弱接合部を含んで構成してもよい。
【符号の説明】
【００７４】
１  ペット用吸収性物品
２  表面シート
３  裏面層
４  吸収体
７  フックテープ
８  位置表示部
１１  第１端部
１２  第２端部
１４  第１立体ギャザー部
１５  第２立体ギャザー部
１７  後側側部（第１側部）
１８  前側側部（第２側部）
４１  吸収体本体
４２  第１延出部
５１  第１サイドシート
５２  第２サイドシート
６１  第１弾性部材（弾性部材）
１４１  弱接合部
Ｓ１  連続体形成工程
Ｓ２  折り返し工程
Ｓ３  切断工程
Ｓ４  折り畳み工程
【図１】
0005624949.tif 000002
【図２】
0005624949.tif 000003
【図３】
0005624949.tif 000004
【図４】
0005624949.tif 000005
【図５】
0005624949.tif 000006
【図６】
0005624949.tif 000007
【図７】
0005624949.tif 000008
【図８】
0005624949.tif 000009
【図９】
0005624949.tif 000010
【図１０】
0005624949.tif 000011
【図１１】
0005624949.tif 000012
【図１２Ａ】
0005624949.tif 000013
【図１２Ｂ】
0005624949.tif 000014
【図１３Ａ】
0005624949.tif 000015
【図１３Ｂ】
0005624949.tif 000016
【図１４Ａ】
0005624949.tif 000017
【図１４Ｂ】
0005624949.tif 000018
【図１５Ａ】
0005624949.tif 000019
【図１５Ｂ】
0005624949.tif 000020
【図１６】
0005624949.tif 000021
【図１７】
0005624949.tif 000022
【図１８】
0005624949.tif 000023